(57)【要約】【課題】  変倍光学系部の倍率の切り換えを行って高倍で観察した後、元の倍率に戻して撮影を行う場合であっても、被検眼に対する合焦ズレを回避することのできるスリットランプを提供する。【解決手段】  本発明のスリットランプ１は、被検眼Ｅに対して前後・左右に可動される架台６と、被検眼Ｅを変倍光学系部１２を介して拡大しつつ観察する接眼鏡部２４と、変倍光学系部１２を介して被検眼Ｅを撮像する撮像部２５とを備えている。スリットランプ１には、撮影スイッチ３３の第１段の操作により撮影時の倍率よりも高い倍率に変倍光学系部１２の倍率を設定しかつ撮影スイッチ３３の第２段の操作により撮影時の倍率に変倍光学系部１２の倍率を復帰させる制御部３０が設けられている。【選択図】  図１
2009189467.tif 000002
【特許請求の範囲】
【請求項１】
被検眼に対して前後・左右に可動される架台と、前記被検眼を変倍光学系部を介して拡大しつつ観察する接眼鏡部と、前記変倍光学系部を介して前記被検眼を撮像する撮像部とを備え、撮影スイッチの操作により前記被検眼を撮影するスリットランプにおいて、
前記撮影スイッチの第１段の操作により撮影時の倍率よりも高い倍率に前記変倍光学系部の倍率を設定しかつ前記撮影スイッチの第２段の操作により撮影時の倍率に前記変倍光学系部の倍率を復帰させる制御部が設けられていることを特徴とするスリットランプ。
【請求項２】
前記変倍光学系部は回転軸部を有するレンズ保持筒と、該レンズ保持筒の回転方向に設けられかつ一対のレンズからなりしかも倍率の異なる複数個の変倍レンズと、前記撮影スイッチの第１段の操作により前記制御部の制御に基づき前記レンズ保持筒を回転軸部の回りに回転駆動する駆動機構とからなることを特徴とする請求項１に記載のスリットランプ。
【請求項３】
前記駆動機構は駆動モータと、該駆動モータの出力軸と前記回転軸部との間に掛け渡された歯付き駆動ベルトとからなることを特徴とする請求項２に記載のスリットランプ。
【請求項４】
前記変倍光学系部が変倍ノブを有し、該変倍ノブの手動操作により倍率を変更可能であることを特徴とする請求項３に記載のスリットランプ。
【発明の詳細な説明】
【技術分野】
【０００１】
本発明は、撮影時の倍率よりも高倍で観察し、元の撮影時の倍率に戻して撮影を行うことが可能なスリットランプの改良に関する。
【背景技術】
【０００２】
従来から、被検眼に対して前後・左右に可動される架台と、架台に設けられて被検眼にスリット光束を照明する照明光学系部と、被検眼を変倍光学系部を介して拡大しつつ観察する接眼鏡部と、変倍光学系部を介して被検眼を撮像する撮像部とを備え、撮影スイッチの操作により被検眼を撮影するスリットランプが知られている（例えば、特許文献１参照。）。
【０００３】
このものでは、コントロールレバーの操作により架台を前後左右に動かし、被検眼に対して位置合わせを行うと共に、接眼鏡部を覗きつつ架台を微動させて被検眼に対する合焦を行い、撮影を行っている。
【特許文献１】特開２００３−２９９６１９号公報
【発明の開示】
【発明が解決しようとする課題】
【０００４】
ところで、この種のスリットランプでは、変倍光学系部により低倍から高倍までに渡って倍率を変更して観察・撮影を行うことができるが、低倍で撮影を行う際に低倍のままで観察しながら合焦を行うことにすると、鮮明な画像を撮影により得難いという不都合がある。
【０００５】
そこで、従来、この種のスリットランプでは、変倍ノブを操作して撮影時の倍率よりも高い倍率（高倍）で被検眼を観察しながら被検眼に対して合焦を行い、その後、変倍ノブを操作して元の撮影倍率（低倍）に戻して、撮影スイッチを操作することにより被検眼の撮影を行っている。
【０００６】
従来のスリットランプは、このように、手動で変倍光学系部の倍率の切り換えを行う構成であるので、倍率の切り換えの際に、被検眼が動き、被検眼に対する合焦がずれるという不都合がある。
【０００７】
本発明は、上記の事情に鑑みて為されたもので、その目的とするところは、変倍光学系部の倍率の切り換えを行って高倍で観察した後、元の倍率に戻して撮影を行う場合であっても、被検眼に対する合焦ズレを回避することのできるスリットランプを提供することにある。
【課題を解決するための手段】
【０００８】
請求項１に記載のスリットランプは、被検眼に対して前後・左右に可動される架台と、前記被検眼を変倍光学系部を介して拡大しつつ観察する接眼鏡部と、前記変倍光学系部を介して前記被検眼を撮像する撮像部とを備え、撮影スイッチの操作により前記被検眼を撮影するスリットランプにおいて、前記撮影スイッチの第１段の操作により撮影時の倍率よりも高い倍率に前記変倍光学系部の倍率を設定しかつ前記撮影スイッチの第２段の操作により撮影時の倍率に前記変倍光学系部の倍率を復帰させる制御部が設けられていることを特徴とする。
【０００９】
請求項２に記載のスリットランプは、前記変倍光学系部は回転軸部を有するレンズ保持筒と、該レンズ保持筒の回転方向に設けられかつ一対のレンズからなりしかも倍率の異なる複数個の変倍レンズと、前記撮影スイッチの操作により前記制御部の制御に基づき前記レンズ保持筒を回転軸部の回りに回転駆動する駆動機構とからなることを特徴とする。
【００１０】
請求項３に記載のスリットランプは、前記駆動機構は駆動モータと、該駆動モータの出力軸と前記回転軸部との間に掛け渡された歯付き駆動ベルトとからなることを特徴とする。
【００１１】
請求項４に記載のスリットランプは、前記変倍光学系部が変倍ノブを有し、該変倍ノブの手動操作により倍率を変更可能であることを特徴とする。
【発明の効果】
【００１２】
請求項１ないし請求項３に記載の発明によれば、撮影スイッチの操作に関連させて変倍光学系部の倍率の切り換えを自動で行う構成としたので、変倍光学系部の倍率を撮影時の倍率とは異なる高い倍率に切り換えて観察を行った後に、元の倍率に戻して撮影を行う場合であっても、被検眼に対する合焦ズレを回避することができる。
【００１３】
請求項４に記載の発明によれば、手動と自動との使い分けを行うことができる。
【発明を実施するための最良の形態】
【００１４】
以下に、本発明に係わるスリットランプの発明の実施の形態を図面を参照しつつ説明する。
【実施例】
【００１５】
図１は本発明に係わるスリットランプの一例を示す外観図である。この図１において、１はスリットランプである。スリットランプ１はベース２を有する。ベース２の前部には顎受け部材３が設けられている。この顎受け部材３には顎受け部４と額当て部５とが設けられている。そのベース２の上部には架台６が設けられている。架台６にはコントロールレバー７が設けられている。架台６はそのコントロールレバー７の傾倒操作により移動機構部８を介して前後左右方向に移動される。
【００１６】
架台６には支持アーム９、１０が設けられている。支持アーム９の上部には照明ケース１１が設けられている。この照明ケース１１の内部には照明光学系（図示を略す）が配設されている。その照明光学系は被検眼Ｅに向けてスリット照明光を照射する。
【００１７】
支持アーム１０の上部には変倍光学系部１２が設けられている。この変倍光学系部１２は、図２に拡大して示すように、鏡筒部１３、被検眼Ｅに対向する対物レンズ部１４、支持アーム取り付け穴部１５を有する。その変倍光学系部１２は、図３に示す外観形状のレンズ保持筒１６を有する。そのレンズ保持筒１６の両端には回転軸部１６ａ、１６ａが形成されている。
【００１８】
そのレンズ保持筒１６の回転方向には変倍レンズ１７、１８が設けられている。その変倍レンズ１７は凸レンズ１７ａと凹レンズ１７ｂとの一対のレンズから構成されている。その変倍レンズ１８は凸レンズ１８ａと凹レンズ１８ｂとの一対のレンズから構成されている。その図２には凸レンズ１７ａが対物レンズ部１４に対向する状態が示されている。その変倍レンズ１７、１８は、図３、図４に示すように、左右方向に一組設けられている。
【００１９】
変倍レンズ１７は、例えば、拡大倍率を６倍と４０倍とに設定する場合に用いられる。変倍レンズ１８は、拡大倍率を１０倍と２５倍とに設定する場合に用いられる。例えば、対物レンズ部１４に凸レンズ１７ａが対向しているとき、拡大倍率は４０倍であり、凹レンズ１７ｂが対物レンズ部１４に対向しているとき、拡大倍率は６倍である。また、対物レンズ部１４に凸レンズ部１８ａが対向しているとき、拡大倍率は２５倍であり、対物レンズ部１４に凹レンズ部１８ｂが対向しているとき、拡大倍率は１０倍である。なお、そのレンズ保持筒１６には素通しの開口１９、２０が形成されている。この開口１９、２０が対物レンズ部１４に対向しているとき、拡大倍率は１６倍であり、この変倍光学系部１２は倍率変更を５段階で行うことができる。
【００２０】
その鏡筒部１３には、図２に示すようにマウント部２１が形成されている。このマウント部２１にはマウント部材２２が図１に示すように止めネジ２３によって着脱可能に固定される。そのマウント部材２２には接眼鏡部２４が設けられると共に撮像部としてのデジタルカメラ２５が設けられている。被検眼Ｅは変倍光学系部１２を介して接眼鏡部２４を通じて撮影者に観察される。
【００２１】
鏡筒部１３には、図４ないし図６に示すように一対の変倍ノブ２６、２６が設けられると共に、駆動機構２７が設けられている。その変倍ノブ２６は回転軸部１６ａ、１６ａに固定されている。
【００２２】
駆動機構２７は駆動モータ（例えば、ステッピングモータ）２８と歯付き駆動ベルト２９とから大略構成されている。その歯付き駆動ベルト２９は駆動モータ２８の出力軸２８ａと回転軸部１６ａとの間に掛け渡されている。
【００２３】
その駆動モータ２８は、図１に示す制御部３０によって回転制御される。この制御部３０は例えば架台６に設けられている。その制御部３０には撮影倍率設定スイッチ３１と倍率変更スイッチ３２とが設けられている。
【００２４】
撮影倍率設定スイッチ３１はオフ、６倍、１０倍、１６倍、２５倍、４０倍の５段階で撮影倍率を設定可能である。撮影倍率設定スイッチ３１がオフのときには、変倍ノブ２６を手動操作することにより撮影倍率を設定可能である。撮影倍率設定スイッチ３１を６倍〜４０倍のいずれかに設定すると、制御部３０はその設定された撮影倍率となるように駆動モータ２８を駆動制御する。
【００２５】
倍率変更スイッチ３２を操作すると、制御部３０は指定された観察倍率となるように駆動モータ２８を制御するための待機状態となる。コントロールレバー７には撮影スイッチ３３が設けられ、この撮影スイッチ３３は制御部３０とデジタルカメラ２５とに接続されている。
【００２６】
この撮影スイッチ３３は第１段レリーズ操作（半押し）と第２段レリーズ操作との二段階操作が可能であり、制御部３０は第１段レリーズ操作により、指定された観察倍率となるように駆動モータ２８を駆動制御すると共に第２段レリーズ操作により元の撮影倍率に復帰するように駆動モータ２８を制御する。
【００２７】
例えば、撮影倍率が１６倍で、指定された観察倍率が２５倍の場合、レンズ保持筒１６は素通しの開口１９（２０）が対物レンズ部１４に対向している状態から凸レンズ１８ａが対物レンズ部１４に対向する状態に切り換えられる。
【００２８】
撮影者は、この撮影スイッチ３３の第１段レリーズ操作時にコントロールレバー７を傾倒操作して、架台６を前後方向に微調整し、被検眼Ｅに対する合焦操作を行う。これにより、撮影倍率よりも高倍の倍率で撮影対象部位を観察しつつ被検眼Ｅに対するピント合わせを行うことができる。
【００２９】
撮影スイッチ３３の第２段レリーズ操作を行うと、制御部３０は元の設定された撮影倍率となるように駆動モータ２８を駆動制御する。この例の場合には、凸レンズ１８ａが対物レンズ部１４に対向している状態から素通しの開口１９（２０）が対物レンズ部１４に対向する状態となる。その後、撮影信号がデジタルカメラ２５に入力され、撮影が実行される。
【００３０】
なお、この発明の実施の形態では、制御部３０は、撮影倍率が最大倍率に設定されている場合には、観察倍率を設定したとしても、観察倍率をキャンセルする構成となっている。
【００３１】
以上、発明の実施の形態について説明したが、本発明の趣旨を変更しない範囲内で、各種の態様を実施可能である。
【図面の簡単な説明】
【００３２】
【図１】本発明に係わるスリットランプの全体構成を示す概要図である。
【図２】図１に示す変倍光学系部の内部構造を示す断面図である。
【図３】図２に示すレンズ保持筒の外観形状を示す説明図である。
【図４】図２に示す変倍光学系部の後部形状を示す部分断面図である。
【図５】本発明に係わる変倍光学系の駆動機構の概略構成を示す内部構造図である。
【図６】図５に示す駆動機構を概略構成を示す側面図である。
【符号の説明】
【００３３】
１…スリットランプ
６…架台
１２…変倍光学系部
２４…接眼鏡部
２５…デジタルカメラ（撮像部）
３０…制御部
３３…撮影スイッチ
【図１】
2009189467.tif 000003
【図２】
2009189467.tif 000004
【図３】
2009189467.tif 000005
【図４】
2009189467.tif 000006
【図５】
2009189467.tif 000007
【図６】
2009189467.tif 000008